(57)【要約】【課題】  事前にユーザリソースの正常性を確認することによって、システム保守管理に優れた無線基地局を提供することを目的とする。【解決手段】  呼処理におけるユーザリソース状態を監視し、異常が発生した場合に呼処理制御部に通知するリソース状態監視手段を有する無線基地局装置において、前記リソース状態監視手段は、空きリソースを用いて確認用擬似信号による上り信号を折り返して下り信号としてユーザリソースの確認を行うと共に、異常を検出した場合は、異常発生箇所と対応手段を特定する。【選択図】      図１
2006020143.tif 000002
【特許請求の範囲】
【請求項１】
呼処理におけるユーザリソース状態を監視し、異常が発生した場合に呼処理制御部に通知するリソース状態監視手段を有する無線基地局装置であって、
前記リソース状態監視手段は、空きリソースを用いて確認用擬似信号による上り信号を折り返して下り信号としてユーザリソースの確認を行うと共に、異常を検出した場合は、異常発生箇所と対応手段を特定することを特徴とする無線基地局装置。
【発明の詳細な説明】
【技術分野】
【０００１】
本発明は、移動無線通信システムにおける無線基地局装置（ＢＴＳ）におけるベースバンドリソースと有線伝送路リソース（ユーザリソース）の正常性確認機能を有する無線基地局装置に関し、特に無線基地局装置がユーザリソースの正常性を自律的に確認し、異常時にはリカバリー処理及び報告を行うことにより、稼動状態の確認及び異常状態の事前検出及び可能な限り回復が可能な無線基地局装置に関する。
【背景技術】
【０００２】
近年の移動無線通信システムは、加入者の増加に伴い通信容量を圧迫しているが、継続して高品質のサービスを継続させることが必要不可欠な課題となっている。そのため、移動無線通信システムのインフラという観点から、無線基地局装置（ＢＴＳ）の品質の影響が移動無線通信システムの品質に大きく寄与する。
【０００３】
また、最近の移動無線システムでは、ベースバンド信号（ＢＢ）処理カードと有線伝送路処理部内のハードウェア／ファームウェアの処理資源（メモリ、回路等の占有時間や処理時間等を含む最小単位の使用資源）を各々ベースバンドリソース、有線伝送路リソースと定義し、これらを合わせたリソースを一つのユーザリソースとすることで、種々の通信サービスによって必要な数分だけ割り当ててサービスを供給しており、ユーザリソースが正常に機能するかどうかが通信サービスの品質に大きく影響すると考えられる。
【０００４】
図１２は無線基地局装置を用いた接続形態におけるシステム構成を示すブロック図である。図１２において１０１は移動局、１０２，１０３は無線基地局装置、１０４は無線網制御装置、１０５は交換機、１０６は網である。
【０００５】
図１３は従来の無線基地局装置（ＢＴＳ）の主要機能を示すブロック図である。同図において、２０１は有線伝送路処理部、２０２は呼処理制御部、２０３は保守監視制御部、２０４はベースバンド処理部、２０５は接続先切替装置、２０６は無線送受信部である。
【０００６】
無線送受信（ＴＲＸ）部２０６は、無線周波数帯域の送受信処理を行い、無線周波数帯域信号とベースバンド信号との変換を行う。ベースバンド信号（ＢＢ）処理部２０４は、ベースバンド信号の変復調、電力制御、チャネルコーデック処理等のベースバンド信号処理を行う。
【０００７】
有線伝送処理部２０１は、ベースバンド処理部２０４及び無線網制御装置からの信号変換処理等を行う。呼処理（ＣＰ）制御部２０２は、主に呼処理に関して各機能部に対するリソース割り当て等の制御を行う。また、保守監視制御部２０３は無線基地局装置（ＢＴＳ）としての運用状態等を管理している。また、接続先切替装置２０５は、有線伝送路処理部２０１と呼処理制御部２０２との間で無線送受信部２０６との接続を切り替える。
【０００８】
主信号の流れは、上り方向については無線送受信（ＴＲＸ）部２０６、ベースバンド信号（ＢＢ）処理部２０４、有線伝送路処理部２０１と流れ、下り方向は有線伝送路部処理部２０１、ベースバンド信号（ＢＢ）処理部２０４、無線送受信（ＴＲＸ）部２０６へと流れる。
【０００９】
次に、従来の呼処理制御部によるユーザリソース割り当てまでの処理動作を説明する。呼処理制御部２０２は要求される通信サービスにより、必要なユーザリソース数を算出し、ベースバンド処理部２０４に対してベースバンドリソース割り当て要求を発行し、有線伝送路処理部２０１に対して有線伝送路リソース要求を発行する。
【００１０】
ベースバンド処理部２０４では、呼処理制御部２０２から要求されたベースバンドリソースが確保されたかどうかの応答を呼処理制御部２０２に対して返す。また、有線伝送路処理部２０１に関しても、呼処理制御部２０２から要求された有線伝送路リソースが確保されたかどうかの応答を呼処理制御部２０２に対して返す。
【００１１】
呼処理制御部２０２では、ベースバンド処理部２０４と有線伝送路処理部２０１からの応答の両者が正常な場合にのみ、当該ユーザリソースが正常に確保された状態とし、確保したユーザリソースを使用し通信サービスの接続を行う。
【００１２】
しかし、ユーザリソース割り当てが確保された状態では、確保したユーザリソースの機能的な正常性を確認していないため、機能的な異常があった場合でも事前に検出することが困難であった。本現象が発生すると、無線網制御装置にてユーザリソースの異常が検出されるため、呼処理制御部では呼損として扱い、当該ユーザリソースについては解放処理を行う。移動無線システムでは、呼損という現象をユーザから見ると「繋がりにくい移動無線システム」という認識を与えるため、無線基地局装置（ＢＴＳ）全体が異常な状態でなくても、結果的に品質の低下を招く結果となる。
【００１３】
このような現象を避けるため、従来技術では、運用開始前に行われる確認として、ｉ）一部のユーザリソースに関して確認試験を実施し、運用中の確認として、ｉｉ）各処理開始間での動作確認（保守監視制御部とのヘルスチェック）を実施している。しかし、特に運用中の確認に関してユーザリソースの確認が行われていないことから、不具合発生時の無線基地局装置（ＢＴＳ）異常状態検出の遅れ、異常個所の特定に時間を要する等の問題が発生する可能性があった。
【００１４】
なお、上記技術に関連する従来技術として、下記特許文献が知られる（下記特許文献１参照）。
【特許文献１】特開２００３−２６４８７１号公報
【発明の開示】
【発明が解決しようとする課題】
【００１５】
従来は上述したように、呼処理制御部において、事前にユーザリソースの正常性を確認していなかったため、通信サービスの要求発生時に何らかの異常によりユーザリソースが確保できなかった場合において、呼損の処理しか行えず品質の低下に繋がる恐れがあった。また、無線基地局（ＢＴＳ）の異常状態検出や異常個所の特定が遅れる等、保守管理面において十分な対策がされていないという問題があった。
【００１６】
本発明は、前記従来技術で説明したような欠点を解消し、事前にユーザリソースの正常性を確認することによって、システム保守管理に優れた無線基地局を提供することを目的としている。
【課題を解決するための手段】
【００１７】
上述した課題を解決するため、本発明は、呼処理におけるユーザリソース状態を監視し、異常が発生した場合に呼処理制御部に通知するリソース状態監視手段を有する無線基地局装置であって、前記リソース状態監視手段は、空きリソースを用いて確認用擬似信号による上り信号を折り返して下り信号としてユーザリソースの確認を行うと共に、異常を検出した場合は、異常発生箇所と対応手段を特定することを特徴とする。
【００１８】
実施の形態における無線基地局装置は、（１）無線基地局装置において、呼処理制御部から自律的にベースバンド処理部及び有線伝送路処理部に対して空きリソースによるユーザリソース正常性確認手段と、各処理部から呼処理制御部への正常性確認応答が通知できる手段とを備えている。
【００１９】
また、呼処理制御部が正常性を行うユーザリソースに関しては（１）に示した通り空きリソースを用いて行うが正常性確認を行うリソース数及びタイミングについては、無線基地局装置（ＢＴＳ）の全体的な負荷状態により、呼処理制御部にて柔軟に対応できる手段を備えている。
【００２０】
さらに、（２）ベースバンド処理部及び有線伝送路処理部に関する前記正常性確認手段は、各処理部において異常があった場合に異常個所を特定できる手段と、呼処理制御部への異常個所通知手段を備えている。
【００２１】
また、呼処理制御部が各処理部からの異常個所通知を受けた場合、（３）異常検出箇所を確実に特定するため、同様の正常性確認用リソースに対して再度正常性確認を行う(リトライ)手段を備えている。
【００２２】
前記リトライ手段においても、正常性が確認できなかった場合、（４）無線基地局装置（ＢＴＳ）としての正常性を保持するため、異常検出箇所に対して復旧処理を行う（リカバリ）手段を備えている。
【００２３】
さらに、正常性確認を行ったリソースの中で異常リソース数が予め決められている許容異常リソース数を超えた場合、（５）自律的に無線基地局装置（ＢＴＳ）としての状態をリソース異常状態とし、保守監視制御部から無線網制御装置への通知を行う手段を備えている。
【００２４】
また、実施の形態における無線基地局装置は、無線網制御装置との接続手段としての有線伝送路処理部と、装置内の信号を分離多重する接続先切換機能部、
呼制御の統括処理を実施する呼処理制御部と、前記呼制御処理に関し、特に有線伝送路リソース管理及び処理を行う有線伝送路処理部と、前記呼制御処理に関し、特にベースバンドリソース管理及び処理を行うベースバンド処理部と、保守監視制御を実施する保守監視制御部と、移動局と無線インターフェースにて接続する無線送受信部と、前記呼処理制御部からの、有線伝送路処理部、ベースバンド処理部のリソース正常性確認手段とを有する。なお、前記正常性確認手段は、呼処理制御部からの指定に基づき確認可能となり、前記正常性確認手段は、確認後の結果を呼処理制御部に通知する。
【発明の効果】
【００２５】
以上に説明したように本発明によれば、呼処理制御部とベースバンド処理部及び有線伝送路処理部間で、自律的にユーザリソースの正常性確認を行うため、異常リソースの事前検出を行い、新規呼発生時の呼損を低減することが可能となる。また、正常性確認で異常となったリソースに対してもリカバリー処理を行うことにより回復可能な場合があり、無線基地局装置としての異常状態となる確率が低減されるため、安定した運用が可能となる。さらに、異常なユーザリソースが異常許容リソースを超えた場合には、上位装置である無線網制御装置に対して報告を行えるため、無線基地局装置の異常状態を明確にすることが可能となり、保守性の向上が期待できる。
【発明を実施するための最良の形態】
【００２６】
以下、本発明の実施の形態を図面を用いて説明する。
なお、無線基地局装置の接続形態を示すシステム構成は図１２に示したものと同じであり、ここでの説明を省略する。
【００２７】
図１は本発明の無線基地局装置（ＢＴＳ）の主要機能を示すブロック図である。同図において、３０１は有線伝送路処理部、３０２は呼処理制御部、３０３は保守監視制御部、３０４はベースバンド処理部、３０５は接続先切替装置、３０６は無線送受信部である。無線送受信（ＴＲＸ）部３０６及び接続先切替装置３０５は図１３に示したものと同じである。
【００２８】
図１において、ベースバンド信号処理部３０４は、従来と同様に複数のカードを備え、各カードのベースバンドリソースをチャネルに割り当ててベースバンド信号処理を行うとともに、呼処理制御部３０２からの正常性確認要求が発行された場合には、指定されたベースバンドリソースの正常性確認を行うと共にその結果を呼処理制御部３０２に通知するベースバンドリソース用正常性確認手段３０４Ａが設けられている。
【００２９】
有線伝送路処理部３０１も、従来と同様にベースバンド処理部３０４及び無線網制御装置からの信号変換処理等を行うとともに、呼処理制御部３０２からの正常性確認要求が発行された場合には、指定された有線伝送路リソースの正常性確認を行う有線伝送路リソース用正常性確認手段３０１Ａが設けられている。
【００３０】
また、同様に呼処理制御部３０２においてもユーザリソースの正常性を確認すると共にその結果を保守監視制御部３０３に通知するユーザリソース正常性確認手段３０２Ａが設けられ、保守監視制御部３０３においては、正常性確認結果を図示しない無線制御装置に通知する正常性確認結果通知手段３０３Ａが設けられている。
【００３１】
以下、呼処理制御部３０２を中心としたユーザリソース正常性確認の手順（ユーザリソース正常性確認手段の動作）を図２〜図４に示す。以降にて、手順を詳細に示す。
【００３２】
無線制御装置又は上位機種からユーザリソース正常性確認要求があると（Ｓ１）、確認用ユーザリソース割り当てを行い（Ｓ２）、確認用リソースの有無を判定する（Ｓ３）。確認用リソースが有る場合、ベースバンドリソース正常性確認要求を行う（Ｓ４）と共に、有線伝送路リソース正常性確認要求を行う（Ｓ５）。その後、第１，２確認応答判定をリトライ処理（Ｓ６）、リカバリー処理に対応して行い（Ｓ７）、第３確認応答判定を行う（Ｓ８）。異常が無い場合は、正常であるとして正常性確認用ベースバンドリソース解放要求を行い（Ｓ９）、また正常性確認用有線伝送路リソース解放要求を行い（Ｓ１０）、その結果を判定し（Ｓ１１）異常回数が所定回数（例えば５）を超えない場合は異常の動作を繰り返す（Ｓ１２）。
【００３３】
ベースバンドリソース正常性確認要求（Ｓ４）に対しては、図３に示すベースバンド処理動作が行われる（Ｓ１３）。有線伝送路リソース正常性確認要求（Ｓ５）に対しては、有線伝送路処理動作が行われる（Ｓ１４）。第１確認応答判定（Ｓ６）において異常の場合は図５に示すリトライ処理動作が行われ（Ｓ１６）、第２確認応答判定（Ｓ７）において異常の場合は図６に示すリカバリー処理動作が行われ（Ｓ１８）、第３確認応答判定（Ｓ８）において異常の場合は図７に示すユーザリソース異常処理動作が行われる（Ｓ２０）。
【００３４】
正常性確認用ベースバンドリソース解放要求（Ｓ９）及び正常性確認用有線伝送路リソース解放要求（Ｓ１０）に対してもそれぞれ図３、図４において後述するベースバンド処理動作及び有線伝送路処理動作が行われ（Ｓ２１，２２）、その解放応答が行われる（Ｓ２３）。なお、異常回数が所定数を超えたときは図７に示すユーザリソース異常処理動作が行われる（Ｓ２４）。また、リトライ処理動作（Ｓ１６）、リカバリー処理動作（Ｓ１８）においてはそれぞれのリソースが確保できない場合も、それらがＮＧとして再トライが行われる（Ｓ２５，２６，２７）。
【００３５】
図３においては、呼処理制御部３０２からの要求に対して、正常性確認要求が判定されて（Ｓ３１）、解放要求とされれば（Ｓ３２）、正常性確認用ベースバンドリソース解放が行われ（Ｓ３３）、図２のステップ１９に戻る（Ｓ３４）。
【００３６】
一方、正常性確認要求の場合は、正常性確認用ベースバンドリソースが確保され（Ｓ４１）、リソース確保の判定が行われる（Ｓ４２）。リソース確保が行われた場合は、正常性確認準備状態に入り（Ｓ３６）、図７に示す正常性確認動作が行われ（Ｓ３７）、リトライ処理であるか否かが判定され（Ｓ３８）、リトライ処理の場合は図２のステップＳ１７に処理が戻る（Ｓ４６）。リトライ処理でない場合は、リカバリー処理であるか否かが判定され（Ｓ３９）、リカバリー処理の場合は図２のステップＳ１９に処理が戻る（Ｓ４７）。リカバリー処理でない場合は図２のステップＳ１５に処理が戻る（Ｓ４０）。
【００３７】
なお、図４で後述する有線伝送路処理部３０１からの正常性確認準備指示がある場合は、有線伝送路正常性確認用リソースを確保し（Ｓ３５）ステップＳ４２に進む。また、ステップＳ４２において正常性確認用ユーザリソースが確保できない場合はＮＧを出して（Ｓ４３）図２のステップＳ２５に処理が戻る（Ｓ４５）。
【００３８】
図４においては、呼処理制御部３０２からの要求に対して、正常性確認要求が判定されて（Ｓ５１）、解放要求とされれば（Ｓ５２）、正常性確認用有線伝送路リソース解放が行われ（Ｓ５３）、図２のステップ１９に戻る（Ｓ５４）。
【００３９】
一方、正常性確認要求の場合は、正常性確認用有線伝送路リソースが確保され（Ｓ６１）、リソース確保の判定が行われる（Ｓ６２）。リソース確保が行われた場合は、接続先切替装置３０５の設定変更が行われ（Ｓ５５）、正常性確認準備状態に入り（Ｓ５６）、図８に示す正常性確認動作が行われ（Ｓ５７）、リトライ処理であるか否かが判定され（Ｓ５８）、リトライ処理の場合は図２のステップＳ１７に処理が戻る（Ｓ６６）。リトライ処理でない場合は、リカバリー処理であるか否かが判定され（Ｓ５９）、リカバリー処理の場合は図２のステップＳ１９に処理が戻る（Ｓ６７）。リカバリー処理でない場合は図２のステップＳ１５に処理が戻る（Ｓ６０）。
【００４０】
以上のように、ベースバンド処理部３０４は、正常性確認用のベースバンドリソースが確保できなかった場合のみ、また有線伝送処理部３０１も、正常性確認用の有線伝送路リソースが確保できなかった場合のみ、呼処理制御部３０２に対して結果の通知を行う（Ｓ２５）。
【００４１】
また、有線伝送路処理部３０１は、正常性確認用の有線伝送路リソースが確保できた場合、接続先切替装置３０５の正常性確認用の有線伝送路リソース部分のみ正常性確認用に変更する（Ｓ５５）。その後、ベースバンド処理部３０４に対して確認用リソース確保の通知を行う（Ｓ６４）。ベースバンド処理部３０４も、正常性確認用のベースバンドリソースが確保できた場合のみ、正常性確認の準備状態完了状態となる（Ｓ３６）。
【００４２】
尚、呼処理制御部３０２は、各処理部が正常性確認中の場合には、新規呼のリソース割り当てに関しては正常性確認中以外の空きリソースを検索して割り当てるものとするが、高速データ用の新規呼要求等で連続したリソース割り当てが発生し、正常性確認中のリソース確保が必要な場合には、正常性確認を中断することがある。
【００４３】
図５はリトライ処理動作を示しており、正常性確認要求があると判定された場合に（Ｓ７１，Ｙ）、処理部判定を行い、ベースバンド処理部又は有線伝送路処理部の判定を行って（Ｓ７２）それぞれの判定部へ処理を移行する。正常性確認要求でないと判定されると異常メッセージを出力し、或いは、動作をキャンセルする（Ｓ７３）。
【００４４】
また、図６はリカバリー処理動作を示しており、リトライ処理動作と同様に、正常性確認要求があると判定された場合に（Ｓ８１，Ｙ）、処理部判定を行い、ベースバンド処理部又は有線伝送路処理部の判定を行って（Ｓ８２）それぞれの判定部へ処理を移行する。正常性確認要求でないと判定されると異常メッセージを出力し、或いは、動作をキャンセルする（Ｓ８３）。
【００４５】
各処理部での正常性確認動作を図９に示す。正常性確認の準備状態完了状態後は、ベースバンド処理部３０４は確認用の擬似信号を発生させ（Ｐ０）、あたかも無線送受信（ＴＲＸ）部３０６から上り信号を受信した場合と同様の経路にて、変復調（Ｐ１）、電力制御（Ｐ２）、チャネルコーデック処理（Ｐ３）等のベースバンド信号処理を行い、接続先切替装置３０５にてルーティングされ有線伝送路処理部へ信号を伝送する。
【００４６】
有線伝送路処理部３０１では、信号変換等の処理を行った後、接続先切替装置３０５へ信号を伝送する。ここで入力された信号は、通常運用時では無線網制御装置へルーティングされるのに対し、正常性確認時はこれを下り信号として有線伝送路処理部へ入力し、信号変換等の処理を行う（Ｐ４）。次に、接続先切替装置３０５にてベースバンド処理部３０４へルーティングされ、ベースバンド処理部３０４はチャネルコーデック処理（Ｐ３）、電力制御（Ｐ２）、変復調（Ｐ１）を行う。最後に、ベースバンド信号処理部３０４は自己が発生させた確認用の擬似信号と変復調した結果を照合し、合致すれば正常性確認応答を呼処理制御部３０２に返す。
【００４７】
呼処理制御部３０２は、ベースバンド処理部３０４からの正常性確認応答後、正常性確認用リソースの解放要求をベースバンド処理部３０４と有線伝送路処理部３０１に発行し、各処理部からの解放応答が正常の場合、正常性確認中状態から空き状態へと遷移し、通常発呼時にも割り当て可能な状態とする。
【００４８】
一方、前記した正常性確認手段にて何らかの異常が発生した場合の処理について記述する。この際、発生箇所が特定できるように図１０及び図１１に示すような区分を設定する。尚、図１０及び図１１の処理区分は、図９の処理区分と一致している。
【００４９】
図１０に示した処理区分のいずれかにて異常を検出した場合、ベースバンド処理部が呼処理制御部３０２に対し、正常性確認の異常応答と処理区分を報告する（ステップＳ１７、４６、６６）。呼処理制御部３０２は、表に示す処理区分に関して何れかの異常を検出した場合、まずリトライ処理として再度同様のリソースにて正常性確認を行う。
【００５０】
本リトライ処理で前回異常だった箇所を含む各処理部での異常が検出されなかった場合には、ベースバンド処理部３０４は呼処理制御部３０２に対して正常性確認終了の応答を行う。
【００５１】
また、リトライ処理でも各処理部から前回の異常区分と同様、或いは異なる区分の異常個所が検出された場合には、各処理部から呼処理制御部に対して異常応答と処理区分を報告する。
【００５２】
次にリカバリー処理を行うため、呼処理制御部３０２は異常応答に含まれる処理区分を解析し、リカバリー処理を行う処理部と、処理内容を図１１に従って決定する。図６に示したように、呼処理制御部３０２は、異常を検出した正常性確認用リソース及びリカバリー処理を行う処理部に対して処理内容を指定し、リカバリー処理要求を行う。ベースバンド処理部或いは有線伝送路処理部３０１は、リカバリー処理要求及び処理内容に対して所定のリカバリー処理を行い、リカバリー結果を再度呼処理制御部３０２に通知する。
【００５３】
呼処理制御部３０２はリカバリー結果が正常の場合、再度同様の正常性確認用リソースを指定して正常性確認を行い、ベースバンド処理部３０４から正常性確認応答が報告された場合のみ、正常性確認用リソースの解放要求をベースバンド処理部３０４と有線伝送路処理部３０１に発行し、各処理部からの解放応答によって正常性確認中状態から空き状態へと遷移し、通常発呼時にも割り当て可能な状態とする。
【００５４】
一方、図７に示すように、再度実施した正常性確認が異常であり、且つリカバリー結果が異常の場合、呼処理制御部３０２の監視機能に対して正常性確認用にて使用したリソースが異常状態であることを通知し、新規呼発生時に当該リソースを割り当てないようにリソース割り当て処理を行う（Ｓ９１）。なお、図７において、確認ユーザリソース数が許容異常リソースより多い場合（Ｓ９２，Ｙ）は無線基地局装置のリソース状態の異常処理を行う（Ｓ９３）。
【００５５】
呼処理制御部３０２は、ユーザリソースの正常確認にて、異常が発生した場合でも前述したリソース割り当て変更の処理以外は正常運用を行うが、異常リソース数が無線基地局装置（ＢＴＳ）に予め割り当てられている許容異常リソース数を超えた場合には、自律的に無線基地局装置（ＢＴＳ）としての状態をリソース異常状態とし、保守監視制御部３０３から無線網制御装置への通知を行うことで、無線基地局装置の異常状態を無線網制御装置へ報告できる（図１０）。
【００５６】
なお、無線基地局装置（ＢＴＳ）の許容異常リソース数に関しては、正常運用時に確保可能なリソース数との割合によって決定されるものとするが、高速データ等の新規呼に対するリソース割り当て時の呼損を低減するため、正常運用時に確保可能なリソースに対して５％程度が妥当と考えられる。
【図面の簡単な説明】
【００５７】
【図１】実施の形態における無線基地局装置の構成を示すブロック図である。
【図２】呼処理制御部におけるユーザリソース正常性確認動作を示すフローチャートである。
【図３】ベースバンド処理部におけるユーザリソース正常性確認動作を示すフローチャートである。
【図４】有線伝送路処理部におけるユーザリソース正常性確認動作を示すフローチャートである。
【図５】リトライ処理動作を示すフローチャートである。
【図６】リカバリー処理動作を示すフローチャートである。
【図７】呼処理制御部におけるユーザリソース異常処理動作を示すフローチャートである。
【図８】保守監視制御部におけるユーザリソース異常処理動作を示すフローチャートである。
【図９】正常性確認処理動作を示す説明図である。
【図１０】正常性確認時の異常処理区分と内容を示す図である。
【図１１】正常性確認時のリカバリー処理区分と内容を示す図である。
【図１２】無線基地局装置の無線基地局装置を用いた接続形態におけるシステム構成を示すブロック図である。
【図１３】従来の無線基地局装置（ＢＴＳ）の主要機能を示すブロック図である。
【符号の説明】
【００５８】
１０１  移動局、１０２，１０３  無線基地局装置、１０４  無線網制御装置、１０５  交換機、１０６  網、３０１  有線伝送路処理部、３０２  呼処理制御部、３０３  保守監視制御部、３０４  ベースバンド処理部、３０５  接続先切替装置、３０６  無線送受信部、３０１Ａ  有線伝送路リソース用正常性確認手段、３０２Ａ  ユーザリソース正常性確認手段、３０３Ａ  正常性確認結果通知手段、３０４Ａ  ベースバンドリソース用正常性確認手段。
【図１】
2006020143.tif 000003
【図２】
2006020143.tif 000004
【図３】
2006020143.tif 000005
【図４】
2006020143.tif 000006
【図５】
2006020143.tif 000007
【図６】
2006020143.tif 000008
【図７】
2006020143.tif 000009
【図８】
2006020143.tif 000010
【図９】
2006020143.tif 000011
【図１０】
2006020143.tif 000012
【図１１】
2006020143.tif 000013
【図１２】
2006020143.tif 000014
【図１３】
2006020143.tif 000015